(57)【要約】      （修正有）【課題】箱本体と蓋部とを連結する連結部を目立たせることなく、且つ運搬中などに連結部が意図せずに破られてしまうことを抑制又は防止することができる蓋付き箱体を提供する。【解決手段】蓋付き箱体は、上部が開放された箱本体２と、下部が開放されて箱本体の開放された上部を覆う蓋部１と、箱本体と蓋部とを連結する第１連結部５ａと、を備える。箱本体２は、底板と、底板の周縁から起立する本体周板１９とを備え、蓋部１は、天板と、天板の周縁から垂下して本体周板の外側に少なくとも一部が重なる蓋周板８とを備え、第１連結部５ａは、一端が本体周板１９の上縁の一部に連結されていると共に、他端が蓋周板８の下縁の一部に連結され、且つ、蓋部が箱本体を覆う状態のときに蓋周板８の内側に収容されており、蓋部は、第１連結部５ａを支点として、揺動することにより、箱本体の上部を開口させる。【選択図】図４
0003211269.tif 000002
【実用新案登録請求の範囲】
【請求項１】
上部が開放された箱本体と、
下部が開放されて前記箱本体の開放された前記上部を覆う蓋部と、
前記箱本体と前記蓋部とを連結する連結部と、
を備える蓋付き箱体であって、
前記箱本体は、底板と、該底板の周縁から起立する本体周板とを備え、
前記蓋部は、天板と、該天板の周縁から垂下して前記本体周板の外側に少なくとも一部が重なる蓋周板とを備え、
前記連結部は、一端が前記本体周板の上縁の一部に連結されていると共に、他端が前記蓋周板の下縁の一部に連結され、且つ、前記蓋部が前記箱本体を覆う状態のときに前記蓋周板の内側に収容されており、
前記蓋部は、前記連結部を支点として、揺動することにより、前記箱本体の上部を開口させることを特徴とする蓋付き箱体。
【請求項２】
請求項１に記載の蓋付き箱体であって、
互いに重なり合った前記本体周板と前記蓋周板との間に、前記連結部が収容されて前記箱本体の上部を前記蓋部で閉塞した状態となるように構成されていることを特徴とする蓋付き箱体。
【請求項３】
請求項１または請求項２に記載の蓋付き箱体であって、
前記蓋周板には、下縁から上方に向かって延びる切込み部が設けられていることを特徴とする蓋付き箱体。
【請求項４】
請求項３に記載の蓋付き箱体であって、
前記底板と前記天板とは同一または相似の多角形状であり、
前記切込み部は、前記底板及び前記天板の角に合わせて複数設けられていることを特徴とする蓋付き箱体。
【請求項５】
請求項１から請求項４の何れか１項に記載の蓋付き箱体であって、
前記連結部は第１連結部であり、
前記蓋付き箱体は、前記箱本体と前記蓋部とを連結する前記第１連結部とは別の第２連結部を備え、
前記第２連結部は、一端が前記本体周板の上縁の一部に連結されていると共に、他端が前記蓋周板の下縁の一部に連結され、
前記箱本体に前記本体周板の一部を切り取ることにより前記第２連結部を切り離す切離可能部を設け、
前記箱本体と前記蓋部とが前記第２連結部により連結された状態で前記蓋部が前記箱本体の上部を覆っているときに前記蓋周板の下方から露出する露出部を前記本体周板に設け、
前記露出部に、前記切離可能部の切離を開始する切離開始部を設け、前記切離可能部のうち前記切離開始部のみを露出させたことを特徴とする蓋付き箱体。
【考案の詳細な説明】
【技術分野】
【０００１】
本考案は、上部が開放された箱本体と、箱本体の少なくとも上部を覆う下部が開放された蓋部とからなる蓋付き箱体に関する。
【背景技術】
【０００２】
従来、上部が開放された箱本体と、箱本体の少なくとも上部を覆う下部が開放された蓋部と、箱本体と蓋部とを連結し且つ上下方向に延びる帯状の連結部とを備える蓋付き箱体が知られている（例えば、特許文献１参照）。
【０００３】
特許文献１のものでは、箱本体は、底部と、当該底板の周縁から起立する本体周板とを備え、蓋部は、天板と、当該天板の周縁から垂下して本体周板の外側に重なる蓋周板とを備える。連結部は、一端が本体周板の上縁に連結されていると共に、他端が蓋周板の下縁に連結されている。そして、連結部を箱本体から切り離すことにより蓋部が箱本体から分離して箱本体の上部が開口する。
【０００４】
この蓋付き箱体は、箱本体から蓋部を取り外すときに、箱本体から連結部を切り離すための切離可能部が、蓋部の蓋周板に設けられている。そして、蓋周板の切離可能部を外側に引き倒すことにより蓋部を箱本体から容易に取り外すことができるようになっている。
【先行技術文献】
【特許文献】
【０００５】
【特許文献１】特開２０１５−１３７１３４号公報
【考案の概要】
【考案が解決しようとする課題】
【０００６】
従来のように、箱本体から連結部を切り離すための切離可能部が蓋部の蓋周板に設けられていると、切離可能部が大きく露出して見栄えが悪いだけでなく、外部から他の物が接触したときに不用意に破れやすい不都合がある。
【０００７】
また、蓋部が箱本体から切り離されてしまうと、蓋部を紛失してしまう虞もある。
【０００８】
上記の点に鑑み、本考案は、箱本体と蓋部とを連結する連結部を目立たせることなく、且つ運搬中などに連結部が意図せずに破られてしまうことを抑制又は防止することができる蓋付き箱体を提供することを目的とする。
【課題を解決するための手段】
【０００９】
［１］上記目的を達成するため、本考案は、
上部が開放された箱本体（例えば、実施形態の箱本体２。以下同一。）と、
下部が開放されて前記箱本体の開放された前記上部を覆う蓋部（例えば、実施形態の蓋部１。以下同一。）と、
前記箱本体と前記蓋部とを連結する連結部（例えば、実施形態の第１連結部５ａ。以下同一。）と、
を備える蓋付き箱体（例えば、実施形態の蓋付き箱体。以下同一。）であって、
前記箱本体は、底板（例えば、実施形態の底板２４。以下同一。）と、当該底板の周縁から起立する本体周板（例えば、実施形態の本体周板１９。以下同一。）とを備え、
前記蓋部は、天板（例えば、実施形態の天板２５。以下同一。）と、当該天板の周縁から垂下して前記本体周板の外側に少なくとも一部が重なる蓋周板（例えば、実施形態の蓋周板８。以下同一。）とを備え、
前記連結部は、一端が前記本体周板の上縁の一部に連結されていると共に、他端が前記蓋周板の下縁の一部に連結され、且つ、前記蓋部が前記箱本体を覆う状態のときに前記蓋周板の内側に収容されており、
前記蓋部は、前記連結部を支点として、揺動することにより、前記箱本体の上部を開口させることを特徴とする。
【００１０】
本考案によれば、蓋部が箱本体を覆った状態において、連結部が蓋周板の内側に収容されているため、連結部が蓋周板に隠れて目立たず、運搬中などに連結部が意図せずに破られてしまうことを抑制又は防止することができる。また、従来品のように連結部を切断するための開口部などを蓋周板に設ける必要がないため、従来品よりも蓋付き箱体の外観の向上を図ることができる。さらに、蓋部が連結部によって箱本体に連結されているため、連結部を支点として蓋部を揺動させて箱本体の上部を開口させても、蓋部の紛失を防止することができる。
【００１１】
［２］また、本考案においては、互いに重なり合った前記本体周板と前記蓋周板との間に、前記連結部が収容されて前記箱本体の上部を前記蓋部で閉塞した状態となるように構成されていることが好ましい。
【００１２】
かかる構成によれば、連結部が本体周板と蓋周板との間に収容されるため、箱本体内に連結部が飛び出すことを防止できる。従って、箱本体内へ収容物を収容するときに連結部が邪魔となることを防止できる。また、箱本体内の収容スペースを連結部に邪魔されることなく、広く確保できる。
【００１３】
［３］また、本考案においては、前記蓋周板に、下縁から上方に向かって延びる切込み部（例えば、実施形態の切込み部１２〜１４。以下同一。）を設けることが好ましい。
【００１４】
かかる構成によれば、切込み部の間を広げるようにして、蓋周板の下部を押し広げることができるため、連結部を支点に蓋部を揺動させながら箱本体の上部に被せるときに、蓋部を箱本体に被せ易くすることができる。
【００１５】
［４］また、本考案においては、前記底板と前記天板とが、同一または相似の多角形状である場合、前記切込み部を、前記底板及び前記天板の角に合わせて複数設けることが好ましい。
【００１６】
かかる構成によれば、箱本体に蓋部を被せるときに蓋部が箱本体の角に引っ掛かり難くなる。従って、蓋部を箱本体に被せて、蓋部を閉めることが容易になる。
【００１７】
［５］また、本考案においては、
前記連結部は第１連結部（例えば、実施形態の第１連結部５ａ。以下同一。）であり、
前記蓋付き箱体は、前記箱本体と前記蓋部とを連結する前記第１連結部とは別の第２連結部（例えば、実施形態の第２連結部５ｂ。以下同一。）を備え、
前記第２連結部は、一端が前記本体周板の上縁の一部に連結されていると共に、他端が前記蓋周板の下縁の一部に連結され、
前記箱本体に前記本体周板の一部を切り取ることにより前記第２連結部を切り離す切離可能部（例えば、実施形態の切離可能部２３。以下同一。）を設け、
前記箱本体と前記蓋部とが前記第２連結部により連結された状態で前記蓋部が前記箱本体の上部を覆っているときに前記蓋周板の下方から露出する露出部（例えば、実施形態の露出部２６。以下同一。）を前記本体周板に設け、
前記露出部に、前記切離可能部の切離を開始する切離開始部（例えば、実施形態の切離開始部２３ａ。以下同一。）を設け、前記切離可能部のうち前記切離開始部のみを露出させることが好ましい。
【００１８】
切離可能部が本体周板に設けられ、切離開始部が本体周板の露出部に設けられていることにより、切離可能部は殆ど目立たない。また、切離開始部以外の切離可能部は、本体周板によって覆い隠される本体周板に設けられているので、切離可能部の不用意な破れを防止することができる。そして、箱本体から第２連結部を分離するときは、切離開始部に手指等を挿し込んで初期破断を行い、次いで、本体周板から連結部を切離しながら蓋部を上方に持ち上げるようにして、第１連結部を支点に揺動させて、箱本体の上部を開口させればよい。
【００１９】
以上のように、本考案によれば、箱本体から蓋部を容易に開くことができるだけでなく、箱本体から蓋部を第１連結部を支点に揺動させて開くときに第２連結部を切り離すための切離可能部の不用意な破れが防止でき、更に、切離可能部を目立たずに設けることができる蓋付き箱体を提供することができる。
【図面の簡単な説明】
【００２０】
【図１】本考案の実施形態の蓋付き箱体を示す説明的斜視図。
【図２】本実施形態の蓋付き箱体の展開図。
【図３】本実施形態において、箱本体から第２連結部を切り離すときの説明的断面図。
【図４】本実施形態において、第１連結部を支点に蓋部を揺動させるときの説明的断面図。
【図５】本実施形態の蓋部を第１連結部を支点に揺動させて箱本体の上部を解放させた状態を示す説明的斜視図。
【考案を実施するための形態】
【００２１】
本考案の一実施形態を図面に基づいて説明する。図１に示すように、本実施形態の蓋付き箱体は、外観が直方体形状であり、蓋部１と箱本体２とからなる。
【００２２】
先ず、蓋付き箱体の構成を展開状態で説明する。図２に示すように、蓋付き箱体は一枚の板紙から形成される。板紙は、蓋部１を形成するための上部形成部３と箱本体２を形成するための下部形成部４とを備えている。上部形成部３と下部形成部４との間には間隙が形成されており、この間隙には第１連結部５ａおよび第２連結部５ｂが設けられて上部形成部３と下部形成部４とを連結している。
【００２３】
上部形成部３は、一対の第１蓋側板６，６と一対の第２蓋側板７，７とを備えている。第１蓋側板６，６及び第２蓋側板７，７は、組立状態の蓋付き箱体においては蓋周板８（図１参照）を構成する。
【００２４】
各第１蓋側板６，６と各第２蓋側板７，７とは、折目線ａ，ｂ，ｃを介して交互に一列に連設されている。一方の第１蓋側板６の一側端には、折目線ｄを介して上部接着片９が連設されている。
【００２５】
第１蓋側板６，６の上縁には、夫々折目線ｅ，ｅを介して上部外フラップ１０，１０が連設され、第２蓋側板７，７の上縁には、夫々折目線ｆ，ｆを介して上部内フラップ１１，１１が連設されている。
【００２６】
各第１蓋側板６，６と各第２蓋側板７，７との境界の下端部分には切込み部１２，１３，１４が形成されており、一方の第１蓋側板６の一側端の下端部分（上部接着片９の下方の端縁）と、他方の第２蓋側板７の他側端の下端部分との夫々には、組み立てた際に単一の切欠き状態となる一対の切欠き部１５が形成されている。
【００２７】
後述するが、一対の切欠き部１５により１つの切込み部が構成され、一対の切欠き部１５により構成される切込み部と、他の各切込み部１２，１３，１４により、各第１蓋側板６，６の下端部に外曲げ許容部１６，１６が形成される。
【００２８】
下部形成部４は、一対の第１本体側板１７，１７と一対の第２本体側板１８，１８とを備えている。第１本体側板１７，１７及び第２本体側板１８，１８は、組立状態の蓋付き箱体においては本体周板１９（図１参照）を構成する。
【００２９】
各第１本体側板１７，１７と各第２本体側板１８，１８とは、折目線ｇ，ｈ，ｉを介して交互に一列に連設されている。一方の第１本体側板１７の一側端には、折目線ｊを介して下部接着片２０が連設されている。
【００３０】
第１本体側板１７，１７の下縁には、夫々折目線ｋ，ｋを介して下部外フラップ２１，２１が連設され、第２本体側板１８，１８の下縁には、夫々折目線ｍ，ｍを介して下部内フラップ２２，２２が連設されている。
【００３１】
第１連結部５ａ及び第２連結部５ｂは夫々、上端が折目線ｎ，ｎを介して第１蓋側板６，６の下縁に連設され、下端が折目線ｐ，ｐを介して第１本体側板１７，１７の上縁に連設されている。
【００３２】
一方の第１本体側板１７には、第２連結部５ｂを第１本体側板１７から切離するための切離可能部２３が、破断可能線ｑにより形成されている。切離可能部２３には、折目線ｒを境界として下半部に半月形状の切離開始部２３ａが形成されている。
【００３３】
以上の構成による図２示の板紙は、図示しないが、次のように組み立てることで蓋付き箱体を形成する。先ず、第１連結部５ａ及び第２連結部５ｂを折目線ｎ，ｎ，ｐ，ｐに沿って折り曲げて反転させつつ、第１、第２蓋側板６，６，７，７（蓋周板８）の夫々の一部に第１、第２本体側板１７，１７，１８，１８（本体周板１９）の夫々の一部を重ね合わせる。次いで、第１、第２蓋側板６，６，７，７及び第１、第２本体側板１７，１７，１８，１８を角筒状に形成し、一側端の接着片９，２０を他側端に接着する。これにより四角筒状の胴部が形成される。そして、下部内フラップ２２，２２を互いに向き合う方向に折り曲げ、下部外フラップ２１，２１を重合させて底板２４を形成する。そして、被包装物を胴部に投入し、上部内フラップ１１，１１を互いに向き合う方向に折り曲げ、上部外フラップ１０，１０を重合させて天板２５を形成する。
【００３４】
これにより、図１に示すように、蓋部１と箱本体２とからなる蓋付き箱体が形成される。この蓋付き箱体は、箱本体２の本体周板１９の略下半部が、蓋部１の蓋周板８の下方から全周にわたって帯状に露出する露出部２６が形成される。
【００３５】
露出部２６は、一方の第１本体側板１７に形成されている切離可能部２３のうち、切離開始部２３ａのみを露出させている。
【００３６】
このように形成された蓋付き箱体は、次のようにして蓋部１を揺動させて箱本体２の上部を開口させることができる。
【００３７】
即ち、先ず、図３Ａに示すように、切離開始部２３ａを破断して手指等を胴部に挿し込む。次いで、図３Ｂに示すように、一方の第１本体側板１７の内側から外側に向かって切離可能部２３，２３を押し出すようにして第２連結部５ｂを第１本体側板１７から切り離す。このとき、外曲げ許容部１６によって、第１蓋側板６を容易に撓ませることができるので、切離可能部２３，２３の押し出しが容易に行われる。
【００３８】
そして、図３Ｃに示すように、第１蓋側板６を持ち上げることにより、蓋部１を揺動させて箱本体２の上部を開口させることができる。このようにして蓋部１を開くことにより箱本体２内に収容された被包装物を容易に露出させることができ、被包装物の展示及び取出し等が好適に行える。
【００３９】
図４Ａから図４Ｃは、蓋部１を開くときの第１連結部５ａの状態の移り変わりを示している。蓋部１で箱本体２が覆われている状態においては、図４Ａに示すように、第１連結部５ａは、第１蓋側板６の内側であって、且つ第１蓋側板６と他方の第１本体側板１７との間に収容されている。
【００４０】
図３Ｃで示したように、第２連結部５ｂを一方の第１本体側板１７から切離して、蓋部１を上方に持ち上げたときには、図４Ｂに示すように、第１連結部５ａは、他方の第１本体側板１７の接続縁を支点として、第１連結部５ａの第１蓋側板６との接続縁を上方に向かって回動させるようにして、蓋部１が上方へ持ち上げられる。このとき、外曲げ許容部１６によって、第１蓋側板６の下方部分を外側へ容易に撓ませることができるので、第１連結部５ａも容易に回動することができる。
【００４１】
そして、図４Ｃに示すように、第１連結部５ａを支点として蓋部１を揺動させることにより、箱本体２の上部が開口する。図５は、蓋部１を揺動させて開いた状態を示す斜視図である。第１連結部５ａが視認し易いように、図５では、図１の反対側から蓋付き箱体を示している。
【００４２】
以上のように、本実施形態の蓋付き箱体は、図１に示すように、切離開始部２３ａ以外の切離可能部２３が露出しないので、切離可能部２３が目立たず蓋付き箱体の外観低下が生じない。また、切離可能部２３は、一方の第１本体側板１７に設けて、切離開始部２３ａ以外の部分が第１蓋側板６に覆われるので、切離可能部２３の不用意な破断を防止することができる。
【００４３】
また、本実施形態の蓋付き箱体によれば、蓋部１が箱本体２を覆った状態において、第１連結部５ａが蓋周板８の内側に収容されているため、第１連結部５ａが蓋周板８に隠れて目立たず、運搬中などに第１連結部５ａが意図せずに破られてしまうことを抑制又は防止することができる。また、従来品のように連結部を切断するための開口部などを蓋周板８に設ける必要がないため、従来品よりも蓋付き箱体の外観の向上を図ることができる。さらに、蓋部１が第１連結部５ａによって箱本体２に連結されているため、第１連結部５ａを支点として蓋部１を揺動させて箱本体２の上部を開口させても、蓋部１の紛失を防止することができる。
【００４４】
また、本実施形態においては、互いに重なり合った本体周板１９と蓋周板８との間に、第１連結部５ａが収容されて箱本体２の上部を蓋部１で閉塞した状態となるように構成されている。
【００４５】
これにより、第１連結部５ａが本体周板１９と蓋周板８との間に収容されるため、箱本体２内に第１連結部５ａが飛び出すことを防止できる。従って、箱本体２内へ被包装物を収容するときに第１連結部５ａが邪魔となることを防止できる。また、箱本体２内の収容スペースを第１連結部５ａに邪魔されることなく、広く確保できる。
【００４６】
また、本実施形態においては、蓋周板８に、蓋周板８の下縁から上方に向かって延びる４つの切込み部１２〜１４（１つは、一対の切欠き部１５，１５によって構成されている）が設けられている。これにより、切込み部１２〜１４の間を広げるようにして、蓋周板８の下部を押し広げることができるため、第１連結部５ａを支点に蓋部１を揺動させながら箱本体２の上部に被せるときに、蓋部１を箱本体２に被せ易くすることができる。
【００４７】
また、本実施形態においては、天板２５が底板２４よりも一回り大きく底板２４と相似の四角形状であり、４つの切込み部１２〜１４を、底板２４及び天板２５の４つの角に合わせて設けている。
【００４８】
これにより、箱本体２に蓋部１を被せるときに蓋部１が箱本体２の角に引っ掛かり難くなる。従って、蓋部１を箱本体２に被せて、蓋部１を閉めることが容易になる。また、４つの切込み部１２〜１４により蓋部１を開けることも容易となる。
【００４９】
なお、本実施形態においては、底板２４及び天板２５が矩形状の蓋付き箱体を用いて説明したが、本考案の底板及び天板は、これに限らない。本考案の底板及び天板は、例えば、円形状であってもよく、または三角形状や五角形以上の多角形であってもよい。また、底板及び天板を複数のフラップで構成していなくてもよく、１枚板で構成してもよい。また、底板２４と天板２５とは相似形状でなくてもよく、例えば、底板と天板とを同一形状としてもよい。
【００５０】
また、本実施形態の蓋付き箱体は、紙でなくてもよく、段ボールや合成樹脂など他の材料で形成されていてもよい。
【００５１】
また、本実施形態の蓋付き箱体は、１枚の板紙を打ち抜いて形成されていなくてもよく、複数枚の板を繋ぎ合せて構成されていてもよい。
【００５２】
また、本実施形態の連結部（第１連結部）としては、折目線のない第１連結部５ａを用いて説明したが、本考案の連結部（第１連結部）は、１つ又は複数の折目線を備えて蛇腹状に折り曲げられていてもよい。
【００５３】
また、本実施形態の第１連結部５ａとしては、蓋周板８と本体周板１９との間に収容された第１連結部５ａを用いて説明したが、本考案の連結部（第１連結部）は、蓋周板８の内側に収容されていればよく、例えば、蛇腹状に折り曲げられた第１連結部が本体周板１９の内側に収容されていてもよい。
【００５４】
また、蓋部１の揺動支点となる第１連結部５ａは、第１連結部５ａの蓋周壁８又は本体周板１９に連結される端縁が支点となってもよいし、第１連結部が蛇腹状に構成されている場合においては、第１連結部の中間部が揺動支点となってもよい。
【符号の説明】
【００５５】
１…蓋部、２…箱本体、５ａ…第１連結部、５ｂ…第２連結部、８…蓋周板、１２〜１４…切込み部、１９…本体周板、２３…切離可能部、２３ａ…切離開始部、２４…底板、２５…天板、２６…露出部。
【図１】
0003211269.tif 000003
【図２】
0003211269.tif 000004
【図３】
0003211269.tif 000005
【図４】
0003211269.tif 000006
【図５】
0003211269.tif 000007